(57)【特許請求の範囲】
【請求項１】
第１の着色状態と透光状態とを切り替え可能な第１の切り替え層と、
前記第１の切り替え層と同じ平面内に並置され、第２の着色状態と透光状態とを、前記第１の切り替え層と独立して切り替え可能な第２の切り替え層と、
前記第１の切り替え層と同じ平面内に並置され、第３の着色状態と透光状態とを、前記第１の切り替え層及び前記第２の切り替え層と独立して切り替え可能な第３の切り替え層と、
前記第１の切り替え層に積層され、前記第１の着色状態の色に対して補色の色を有する第１の着色層と、
前記第１の着色層と同じ平面内で、前記第２の切り替え層に積層され、前記第２の着色状態の色に対して補色の色を有する第２の着色層と、
前記第１の着色層と同じ平面内で、前記第３の切り替え層に積層され、前記第３の着色状態の色に対して補色の色を有する第３の着色層と、
前記第１の切り替え層と前記第１の着色層との間、前記第２の切り替え層と前記第２の着色層との間、及び、前記第３の切り替え層と前記第３の着色層との間に設けられ、前記第１の切り替え層、前記第２の切り替え層及び前記第３の切り替え層と独立して、反射状態と透光状態とを切り替え可能な中間層と、
を備え、
前記第１の着色状態の色と前記第２の着色状態の色と前記第３の着色状態の色を混色すると無彩色となることを特徴とする表示装置。
【請求項２】
前記中間層は、
前記第１の切り替え層と前記第１の着色層との間に設けられ、反射状態と透光状態とを切り替え可能な第４の切り替え層と、
前記第２の切り替え層と前記第２の着色層との間に設けられ、反射状態と透光状態とを、前記第４の切り替え層と独立して切り替え可能な第５の切り替え層と
前記第３の切り替え層と前記第３の着色層との間に設けられ、反射状態と透光状態とを、前記第４の切り替え層及び前記第５の切り替え層と独立して切り替え可能な第６の切り替え層と、
を有することを特徴とする請求項１記載の表示装置。
【請求項３】
前記第１の着色状態は、シアン色であり、前記第２の着色状態は、マゼンタ色であり、前記第３の着色状態は、イエロー色であることを特徴とする請求項１または２に記載の表示装置。
【請求項４】
前記第１の着色状態は、赤色であり、前記第２の着色状態は、緑色であり、前記第３の着色状態は、青色であることを特徴とする請求項１または２に記載の表示装置。
【請求項５】
前記第１の切り替え層、前記第２の切り替え層及び前記第３の切り替え層は、ゲストホスト液晶層を含むことを特徴とする請求項１〜４のいずれか１つに記載の表示装置。
【請求項６】
前記第１の切り替え層、前記第２の切り替え層及び前記第３の切り替え層のそれぞれの間に設けられた隔壁をさらに備えたことを特徴とする請求項１〜５のいずれか１つに記載の表示装置。
【請求項７】
前記第１の切り替え層は、前記第１の着色状態の色のゲストホスト液晶と高分子とが混在する層を含み、
前記第２の切り替え層は、前記第２の着色状態の色のゲストホスト液晶と高分子とが混在する層を含み、
前記第３の切り替え層は、前記第３の着色状態の色のゲストホスト液晶と高分子とが混在する層を含むことを特徴とする請求項１〜６のいずれか１つに記載の表示装置。
【請求項８】
前記中間層は、高分子と液晶とが混在する層を含むことを特徴とする請求項１〜７のいずれか１つに記載の表示装置。
【請求項９】
前記第１の着色層、前記第２の着色層及び前記第３の着色層は、拡散反射性を有することを特徴とする請求項１〜８のいずれか１つに記載の表示装置。
【請求項１０】
前記第１の着色層、前記第２の着色層及び前記第３の着色層のそれぞれの、前記第２の切り替え層に対向する面と反対側に設けられた反射層をさらに備えたことを特徴とする請求項１〜９のいずれか１つに記載の表示装置。
【請求項１１】
前記反射層は、拡散反射性を有することを特徴とする請求項１０記載の表示装置。
【請求項１２】
前記第１の切り替え層を含む第１の副画素と、
前記第２の切り替え層を含む第２の副画素と、
前記第３の切り替え層を含む第３の副画素と、
からなる画素を、複数併置したことを特徴とする請求項１〜１１のいずれか１つに記載の表示装置。
【請求項１３】
前記画素のそれぞれにおいて、前記第１の副画素の隣に前記第２の副画素が並置され、前記第２の副画素の前記第１の副画素と反対側の隣に前記第３の副画素が並置されたことを特徴とする請求項１２に記載の表示装置。
【請求項１４】
第１の対向電極と、
第１のスイッチング素子と、
前記第１のスイッチング素子に接続され前記第１の切り替え層を介して前記第１の対向電極と対向した第１の画素電極と、
第２のスイッチング素子と、
前記第２のスイッチング素子に接続され前記第２の切り替え層を介して前記第１の対向電極と対向した第２の画素電極と、
第３のスイッチング素子と、
前記第３のスイッチング素子に接続され前記第３の切り替え層を介して前記第１の対向電極と対向した第３の画素電極と、
をさらに備えたことを特徴とする請求項１〜１３のいずれか１つに記載の表示装置。
【請求項１５】
第１の基板と、
前記第１の基板に対向して設けられた第２の基板と、
をさらに備え、
前記第１〜第３のスイッチング素子及び前記第１〜第３の画素電極は、前記第１の基板の前記第２の基板に対向する面に設けられ、
前記第１〜第３の着色層は、前記第２の基板の前記第１の基板に対向する面に設けられたことを特徴とする請求項１４記載の表示装置。
【請求項１６】
第１の対向電極と、
第１のスイッチング素子と、
前記第１のスイッチング素子に接続され前記第１の切り替え層を介して前記第１の対向電極と対向した第１の画素電極と、
第２のスイッチング素子と、
前記第２のスイッチング素子に接続され前記第２の切り替え層を介して前記第１の対向電極と対向した第２の画素電極と、
第３のスイッチング素子と、
前記第３のスイッチング素子に接続され前記第３の切り替え層を介して前記第１の対向電極と対向した第３の画素電極と、
第２の対向電極と、
第４のスイッチング素子と、
前記第４のスイッチング素子に接続され前記第４の切り替え層を介して前記第２の対向電極と対向した第４の画素電極と、
第５のスイッチング素子と、
前記第５のスイッチング素子に接続され前記第５の切り替え層を介して前記第２の対向電極と対向した第５の画素電極と、
第６のスイッチング素子と、
前記第６のスイッチング素子に接続され前記第６の切り替え層を介して前記第２の対向電極と対向した第６の画素電極と、
をさらに備えたことを特徴とする請求項２記載の表示装置。
【請求項１７】
第１の基板と、
前記第１の基板に対向して設けられた第２の基板と、
をさらに備え、
前記第１〜第３のスイッチング素子及び前記第１〜第３の画素電極は、前記第１の基板の前記第２の基板に対向する面に設けられ、
前記第１〜第３の着色層は、前記第２の基板の前記第１の基板に対向する面に設けられ、
前記第１〜第３の着色層の前記第１の基板に対向する側に、前記第４〜第６の画素電極がそれぞれ設けられたことを特徴とする請求項１６記載の表示装置。
【請求項１８】
第１の対向電極と、
第１のスイッチング素子と、
前記第１のスイッチング素子に接続され前記第１の切り替え層を介して前記第１の対向電極と対向した第１の画素電極と、
第２のスイッチング素子と、
前記第２のスイッチング素子に接続され前記第２の切り替え層を介して前記第１の対向電極と対向した第２の画素電極と、
第３のスイッチング素子と、
前記第３のスイッチング素子に接続され前記第３の切り替え層を介して前記第１の対向電極と対向した第３の画素電極と、
第２の対向電極と、
をさらに備え、 
前記中間層は、前記第１の切り替え層を含む第１の副画素と、前記第２の切り替え層を含む第２の副画素と、前記第３の切り替え層を含む第３の副画素と、からなる画素ごとにそれぞれ設けられ、第４のスイッチング素子と、前記第４のスイッチング素子に接続された第４の画素電極と、前記第２の対向電極との間に設けられた第４の切り替え層と、を含むことを特徴とする請求項１記載の表示装置。
【請求項１９】
前記第１〜第３の切り替え層と前記中間層との間に設けられた中間材をさらに備え、
前記第１の対向電極は、前記中間材の前記第１〜第３の切り替え層に対向する面に設けられ、
前記第２の対向電極は、前記中間材の前記中間層に対向する面に設けられたことを特徴とする請求項１６〜１８のいずれか１つに記載の表示装置。
【請求項２０】
前記第１〜第３の着色層と前記中間層との間に設けられた透光性材料からなる光束制御層をさらに備え、
前記光束制御層の前記中間層側の面には、前記面の法線を含む断面の形状が三角形の凹凸が所定のピッチで複数設けられ、
前記光束制御層の前記第１〜第３の着色層側には、平滑面が設けられていることを特徴とする請求項１〜１８のいずれか１つに記載の表示装置。
【請求項２１】
前記光束制御層の前記ピッチは、前記第１の切り替え層の配列ピッチ以下であることを特徴とする請求項２０記載の表示装置。
【請求項２２】
前記光束制御層の前記ピッチは、前記第１の切り替え層の配列ピッチの１／３以下であることを特徴とする請求項２０記載の表示装置。
【発明の詳細な説明】
【技術分野】
【０００１】
本発明は、表示装置に関する。
【背景技術】
【０００２】
各種ＯＡ機器や携帯端末、カラーテレビ等に用いられている液晶表示装置は、バックライトとカラーフィルタを組み合わせたものであり、消費電力が大きい問題の他、明るい場所での視認性が悪い等の表示品位上の問題を抱えている。このため、低消費電力と高表示品位の反射型のカラー表示装置の開発が望まれている。
【０００３】
反射型のカラー表示を実現する方法として、カラーフィルタを用いると表示が暗くなり問題である。カラーフィルタを用いないカラー表示を行う方法として、例えば、Ｃ（シアン）、Ｍ（マゼンタ）、Ｙ（イエロー）の３色のゲストホスト型液晶を３層積層する方法があるが、真ん中の液晶層を駆動するための配線の取り出しが難しい等、製造方法が困難である。また、３層を積層するために表示装置の厚みや重量が増え実用的でない。
【０００４】
一方、特許文献１に、原色のゲストホスト液晶の領域とこれと補色関係にあるゲストホスト液晶の領域を組み合わせた構成の２層構造のカラー表示を行う液晶素子が提案されている。しかし、この構成においてもコントラストと明るさ等の表示性能には改善の余地がある。
【特許文献１】特開平８−２８６２１５号公報
【発明の開示】
【発明が解決しようとする課題】
【０００５】
本発明は、低消費電力で、高コントラストの明るい表示を実現する２層構造の反射型の表示装置を提供する。
【課題を解決するための手段】
【０００６】
本発明の一態様によれば、第１の着色状態と透光状態とを切り替え可能な第１の切り替え層と、前記第１の切り替え層と同じ平面内に並置され、第２の着色状態と透光状態とを、前記第１の切り替え層と独立して切り替え可能な第２の切り替え層と、前記第１の切り替え層と同じ平面内に並置され、第３の着色状態と透光状態とを、前記第１の切り替え層及び前記第２の切り替え層と独立して切り替え可能な第３の切り替え層と、前記第１の切り替え層に積層され、前記第１の着色状態の色に対して補色の色を有する第１の着色層と、前記第１の着色層と同じ平面内で、前記第２の切り替え層に積層され、前記第２の着色状態の色に対して補色の色を有する第２の着色層と、前記第１の着色層と同じ平面内で、前記第３の切り替え層に積層され、前記第３の着色状態の色に対して補色の色を有する第３の着色層と、前記第１の切り替え層と前記第１の着色層との間、前記第２の切り替え層と前記第２の着色層との間、及び、前記第３の切り替え層と前記第３の着色層との間に設けられ、前記第１の切り替え層、前記第２の切り替え層及び前記第３の切り替え層と独立して、反射状態と透光状態とを切り替え可能な中間層と、を備え、前記第１の着色状態の色と前記第２の着色状態の色と前記第３の着色状態の色を混色すると無彩色となることを特徴とする表示装置が提供される。
【発明の効果】
【０００７】
本発明によれば、低消費電力で、高コントラストの明るい表示を実現する２層構造の反射型の表示装置が提供される。
【発明を実施するための最良の形態】
【０００８】
以下、本発明の実施の形態について図面を参照して詳細に説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
（第１の実施の形態）
図１は、本発明の第１の実施形態に係る表示装置の構造を例示する概念的断面図である。
図１に表したように、本発明の第１の実施形態に係る表示装置１０は、第１の表示層１１０と、着色層３１０と、これらの間に設けられた第２の表示層（中間層）２１０を備える。
【００１０】
第１の表示層１１０は、第１の表示層１１０の層の面内に並置された、第１の切り替え層１１１、第２の切り替え層１１２及び第３の切り替え層１１３を有している。そして、第１の表示層１１０には、例えば、ゲストホスト型液晶を用いることができる。例えば、第１の切り替え層１１１は、シアン（Ｃ）と透明（透光状態）とのスイッチングを行い、第２の切り替え層１１２は、マゼンタ（Ｍ）と透明のスイッチングを行い、第３の切り替え層１１３は、イエロー（Ｙ）と透明のスイッチングを行う。それて、これらのスイッチングが互いに独立して実行可能とされている。
なお、第１〜第３の着色層１１１〜１１３の着色状態の色を混色すると無彩色になる。また、上記において、各切り替え層の着色状態の色を互いに入れ替えても良い。
【００１１】
例えば、第１〜第３の切り替え層１１１〜１１３として、負の誘電異方性を有する液晶に、それぞれ、Ｙ、Ｍ、Ｃの色を呈する二色性染料を混合したゲストホスト型液晶を用い、電圧無印加状態で層に対して垂直方向に配向し、電圧印加状態で垂直方向から層に平行な方向に向けて配列させる液晶層を用いることができる。この場合、第１〜第３の切り替え層１１１〜１１３にしきい値電圧以上の電圧を印加した時に、それぞれ、Ｃ、Ｍ、Ｙの着色を呈し、電圧を印加しない時に透明となる。
【００１２】
一方、第２の表示層２１０には、例えば、高分子分散型液晶（ＰＤＬＣ：Polymer Dispersed Liquid Crystal）や高分子ネットワーク型液晶（ＰＮＬＣ：Polymer Network Liquid Crystal）等の、高分子と液晶とが混在する層を用いることができる。すなわち、第２の表示層２１０は、透明（透光状態）と、光散乱、すなわち反射状態（白色）とのスイッチングを行う。  
図１に例示した表示装置１０では、第２の表示層２１０は、第２の表示層２１０の層に平行な平面に並置され、上記の第１の切り替え層１１１、第２の切り替え層１１２及び第３の切り替え層１１３にそれぞれ対応した位置に積層して設けられた第４の切り替え層２１１、第５の切り替え層２１２及び第６の切り替え層２１３を有している。そして、例えば、第４〜第６の切り替え層２１１〜２１３に電圧を印加しない場合、反射状態である白色を呈し、電圧を印加すると透明（透光状態）となる。
【００１３】
すなわち、表示装置１０においては、第２の表示層２１０は、第１の切り替え層１１１と第１の着色層３１１との間に設けられ、反射状態と透光状態を切り替え可能な第４の切り替え層２１１と、第２の切り替え層１１２と第２の着色層３１２との間に設けられ、反射状態と透光状態を第４の切り替え層２１１と独立して切り替え可能な第５の切り替え層と、第３の切り替え層１１３と第３の着色層３１３との間に設けられ、第４の切り替え層２１１及び第５の切り替え層２１２と独立して、反射状態と透光状態を切り替え可能な第６の切り替え層とを有している。
【００１４】
なお、後述するように、第４〜第６の切り替え層２１１〜２１３は、必ずしも独立した３つの切り替え層でなくても良く、第２の表示層２１０は、第４の〜第６の切り替え層が１つとなった切り替え層（後述の第７の切り替え層２１４）で構成されても良い。
【００１５】
また、着色層３１０には、例えば、各種のインキや塗料などを用いることができる。着色層３１０は、同一平面内に並置され、上記の第１の切り替え層１１１、第２の切り替え層１１２及び第３の切り替え層１１３にそれぞれ対応した位置に設けられた第１の着色層３１１、第２の着色層３１２及び第３の着色層３１３を有している。例えば、第１の着色層３１１は赤色（Ｒ）であり、第２の着色層３１２は緑色（Ｇ）であり、第３の着色層３１３は青色（Ｂ）とすることができる。すなわち、第１の着色層３１１の色は、第１の切り替え層１１１の色の補色であり、第２の着色層３１２の色は、第２の切り替え層の色の補色であり、第３の着色層３１３の色は、第３の切り替え層１１３の色の補色である。
【００１６】
なお、第１〜第３の着色層３１１〜３１３は、着色していると同時に、反射性を持たせることにより、表示装置１０の表示の明るさを高めることができる。この場合、鏡面反射性でも良いし拡散反射性でも良いが、鏡面反射性を低くし拡散反射性を高くすると、表示装置の周囲にある光や像の写り込みを防止し、また周囲の光を効率的に表示に用いることができるので好ましい。すなわち、第１〜第３の着色層３１１〜３１３は、拡散反射性を有することができる。なお、第１〜第３の着色層３１１〜３１３の第２の表示層２１０と反対側に、図示しない反射層を設けても良い。この場合、この反射層に、拡散反射性を持たせることができる。
【００１７】
すなわち、本実施形態に係る表示装置１０は、第１の着色状態と透光状態とを切り替え可能な第１の切り替え層１１１と、第１の切り替え層１１１と同じ平面内に並置され、第２の着色状態と透光状態とを、第１の切り替え層１１１と独立して切り替え可能な第２の切り替え層１１２と、第１の切り替え層１１１と同じ平面内に並置され、第３の着色状態と透光状態とを、第１の切り替え層１１１及び第２の切り替え層１１２と独立して切り替え可能な第３の切り替え層１１３と、を備える。  
そして、第１の切り替え層１１１に積層されて設けられ、第１の着色状態の色に対して補色となる色を有する第１の着色層３１１と、第１の着色層３１１と同じ平面内で、第２の切り替え層１１２に積層されて設けられ、第２の着色状態の色に対して補色の色を有する第２の着色層３１２と、第１の着色層３１１と同じ平面内で、第３の切り替え層１１３に積層されて設けられ、第３の着色状態の色に対して補色の色を有する第３の着色層３１３と、をさらに備える。  
さらに、第１の切り替え層１１１と第１の着色層３１１との間、第２の切り替え層１１２と第２の着色層３１２との間、及び、第３の切り替え層１１３と第３の着色層３１３との間に設けられ、第１の切り替え層１１１、第２の切り替え層１１２及び第３の切り替え層１１３と独立して、反射状態と透光状態を切り替え可能な中間層（第２の表示層２１０）と、をさらに備える。  
そして、第１の着色状態の色と第２の着色状態の色と第３の着色状態の色を混色すると無彩色となる。
【００１８】
このように、表示装置１０は、第１の表示層１１０と第２の表示層２１０の２層のスイッチング層が積層された２層構造を有しており、これと着色層３１０を組み合わせた構成を有している。そして、上に例示したように、第１〜第３の切り替え層１１１〜１１３への印加電圧及び、第４〜第６の切り替え層２１１〜２１３への印加電圧をそれぞれ制御することによって、第１〜第３の切り替え層１１１〜１１３における着色または透明の状態、及び、第４〜第６の切り替え層２１１〜２１３における白または透明の状態の組み合わせによって、各種の色を表示することができる。なお、以下では、簡単のために、着色と透明との２値の状態、及び、白と透明との２値の状態として説明するが、それぞれ、それらの中間状態を設け、各種の中間色の表示が可能である。
【００１９】
第１の切り替え層１１１、第４の切り替え層２１１及び第１の着色層３１１が積層されてなる部分を、第１の副画素１０１とする。また、第２の切り替え層１１２、第５の切り替え層２１２及び第２の着色層３１２が積層されてなる部分を、第２の副画素１０２とする。そして、第３の切り替え層１１３、第６の切り替え層２１３及び第３の着色層３１３が積層されてなる部分を、第３の副画素１０３とする。そして、第１の副画素１０１、第２の副画素１０２及び第３の副画素１０３によって、１つの画素１０５が形成される。
【００２０】
また、第１〜第３の副画素１０１〜１０３の面積は、同一とすることができる。すなわち、第１〜第３の副画素１０１〜１０３は、画素１０５の面積の１／３の面積を有することができる。
【００２１】
図２は、本発明の第１の実施形態に係る表示装置の動作状態を例示する概念的断面図である。  
同図において、第１〜第３の切り替え層１１１〜１１３における「Ｃ」、「Ｍ」及び「Ｙ」の文字は、第１〜第３の切り替え層１１１〜１１３が、それぞれ、シアン（Ｃ）、マゼンタ（Ｍ）、イエロー（Ｙ）に着色していることを示し、この文字が記されていない場合は、透明状態であることを表している。また、第４〜第６の切り替え層２１１〜２１３における「Ｗ」の文字は、白状態であることを表し、この文字が記されていない場合は、透明状態であることを表す。
【００２２】
図２（ａ）に表したように、第１の表示層１１０の第１〜第３の切り替え層１１１〜１１３の全てを透明にし、かつ、第２の表示層２１０の第４〜第６の切り替え層２１１〜２１３を白状態にする。この時、第１の表示層１１０は透明であるため、表示装置１０の観視者は、第２の表示層２１０を観視する。第２の表示層２１０は、外部（図中の紙面の上方向）からの入射光を散乱し、周囲の光を高い反射率で実質的に均一に拡散反射し、白を表示することができる。このようにして、表示装置１０は、明るい白を表示することができる。
【００２３】
一方、図２（ｂ）に表したように、第１の表示層１１０の第１〜第３の切り替え層１１１〜１１３をそれぞれ、Ｃ、Ｍ及びＹの着色状態にし、かつ、第２の表示層２１０の第４〜第６の切り替え層２１１〜２１３を透明状態にする。この時、観視者は、第１の表示層１１０の色と、その背面に設けられた着色層３１０の色とを重ねて観視することになる。そして、第１の表示層１１０の第１〜第３の切り替え層１１１〜１１３と、第１〜第３の切り替え層１１１〜１１３のそれぞれに対応する第１〜第３の着色層３１１〜３１３とが互いに補色の関係になっているため、第１〜第３の切り替え層１１１〜１１３と第１〜第３の着色層３１１〜３１３によって、可視光の全ての波長領域の光が吸収され、黒が表示される。このようにして、表示装置１０は、濃い黒が表現でき、高コントラスの表示が可能である。
【００２４】
なお、図２（ａ）に例示した白の表示と、図２（ｂ）に例示した黒の表示は、それぞれ、第１〜第３の副画素１０１〜１０３のそれぞれの副画素ごとに切り替えが可能である。これにより、表示装置１０は、白黒の画像を表示する場合に、高解像度の表示が可能である。すなわち、例えば、ＲＧＢのカラーフィルタを用いて、ＲＧＢの３つの副画素で１つの画素を形成する表示装置においては、白と黒とを表示する場合、３つの副画素で構成される１つの画素ごとに白と黒との表示を行う。これに対し、本実施形態に係る表示装置１０は、第１〜第３の副画素１０１〜１０３のそれぞれで白と黒とが表示でき、白黒の画像を表示する場合に、１画素の３倍の高解像度の表示が可能である。
【００２５】
図２（ｃ）〜（ｎ）は、表示装置１０において、各種の色を表示する場合の動作状態を例示している。すなわち、図２（ｃ）、（ｄ）は赤（Ｒ）の表示、図２（ｅ）、（ｆ）は緑（Ｇ）の表示、図２（ｇ）、（ｈ）は青（Ｂ）の表示、図２（ｉ）、（ｊ）はイエロー（Ｙ）の表示、図２（ｋ）、（ｌ）はマゼンタ（Ｍ）の表示、図２（ｍ）、（ｎ）はシアン（Ｃ）の表示にそれぞれ対応する。これらの図に表したように、本実施形態に係る表示装置１０においては、赤（Ｒ）、緑（Ｇ）、青（Ｂ）、イエロー（Ｙ）、マゼンタ（Ｍ）、シアン（Ｃ）の各色を表示する場合に、それぞれ二通りの動作状態を用いることができる。
【００２６】
例えば、図２（ｃ）に表したように、第１の表示層１１０の第１の切り替え層１１１と、第２の表示層２１０の第４の切り替え層２１１を透明にすることにより、観視者は、第１の着色層３１１（Ｒ）を観視する。これによりＲ色が呈示される。そして、第１の表示層１１０の第２の切り替え層１１２（Ｍ）と第３の切り替え層１１３（Ｙ）を着色し、その下の第２の表示層２１０の第５の切り替え層２１２と第６の切り替え層２１３を白色にする。これによっても、第１の表示層１１０のＭ色とＹ色の混色によってＲ色が呈示される。このようにして図２（ｃ）に例示した動作状態により、Ｒ色を表示できる。この場合の表示色は明度の高いＲ色である。
【００２７】
一方、図２（ｄ）に表したように、第１の表示層１１０の第１の切り替え層１１１と第２の表示層２１０の第４の切り替え層２１１を透明にすることにより、観視者は、第１の着色層３１１（Ｒ）を観視する。これによりＲ色が呈示される。そして、第１の表示層１１０の第２の切り替え層１１２と第３の切り替え層１１３を着色し、第２の表示層２１０の第５の切り替え層２１２と第６の切り替え層２１３を透明にする。これによって、第２の切り替え層１１２（Ｍ）と第３の切り替え層１１３（Ｙ）を透過した光は、第２の着色層３１２（Ｇ）と第３の着色層（Ｂ）で吸収されて黒の状態となる。つまり、第１の副画素１０１はＲ色を呈示し、第２、第３の副画素１０２、１０３により黒が呈示され、結果として、Ｒ色が表示される。この場合のＲ色は彩度の高いＲ色である。
【００２８】
このように、本実施形態に係る表示装置１０では、上記の２つの動作状態によって、明度の高いＲ色と彩度の高いＲ色を表示することができる。
【００２９】
同様に、図２（ｅ）に表したように、第１の切り替え層１１１を着色状態にし、第４の切り替え層２１１を白状態にすることによりＣ色を得る。そして、第２の切り替え層１１２を透明状態にし、第５の切り替え層２１２を透明状態にすることによりＧ色を得る。そして、第３の切り替え層１１３を着色状態にし、第６の切り替え層２１３を白状態にすることによりＹ色を得る。この結果、第１〜第３の副画素１０１〜１０３からなる画素１０５においては、これらの色が合成され、明度の高いＧ色を表示できる。  
そして、図２（ｆ）に表したように、第１の切り替え層１１１を着色状態にし、第４の切り替え層２１１を透明状態にすることにより黒状態を得る。そして、第２の切り替え層１１２と第５の切り替え層２１２を透明状態にすることによりＧ色を得る。そして、第３の切り替え層１１３を着色状態にし、第６の切り替え層２１３を透明状態にすることにより黒状態を得る。この結果、第１〜第３の副画素１０１〜１０３からなる画素１０５においては、これらの色が合成され、彩度の高いＧ色を表示できる。
【００３０】
同様に、図２（ｇ）に表したように、第１の切り替え層１１１を着色状態にし、第４の切り替え層２１１を白状態にすることによりＣ色を得る。そして、第２の切り替え層１１２を着色状態にし、第５の切り替え層２１２を白状態にすることによりＭ色を得る。そして、第３の切り替え層１１３と第６の切り替え層２１３を透明状態にすることによりＢ色を得る。この結果、第１〜第３の副画素１０１〜１０３からなる画素１０５においては、これらの色が合成され、明度の高いＢ色を表示できる。  
そして、図２（ｈ）に表したように、第１の切り替え層１１１を着色状態にし、第４の切り替え層２１１を透明状態にすることにより黒状態を得る。そして、第２の切り替え層１１２を着色状態とし、第５の切り替え層２１２を透明状態にすることにより黒状態を得る。そして、第３の切り替え層１１３と第６の切り替え層２１３を透明状態にすることによりＢ色を得る。この結果、第１〜第３の副画素１０１〜１０３からなる画素１０５においては、これらの色が合成され、彩度の高いＢ色を表示できる。
【００３１】
同様に、図２（ｉ）に表したように、第１の切り替え層１１１と第４の切り替え層２１１を透明状態にすることによりＲ色を得る。そして、第２の切り替え層１１２と第５の切り替え層２１２を透明状態にすることによりＧ色を得る。そして、第３の切り替え層１１３を着色状態にし、第６の切り替え層２１３を白状態にすることによりＹ色を得る。この結果、第１〜第３の副画素１０１〜１０３からなる画素１０５においては、これらの色が合成され、明度の高いＹ色を表示できる。  
そして、図２（ｊ）に表したように、第１の切り替え層１１１を着色状態にし、第４の切り替え層２１１を透明状態にすることにより黒状態を得る。そして、第２の切り替え層１１２を着色状態とし、第５の切り替え層２１２を透明状態にすることにより黒状態を得る。そして、第３の切り替え層１１３を着色状態とし、第６の切り替え層２１３を白状態にすることによりＹ色を得る。この結果、第１〜第３の副画素１０１〜１０３からなる画素１０５においては、これらの色が合成され、彩度の高いＹ色を表示できる。
【００３２】
同様に、図２（ｋ）に表したように、第１の切り替え層１１１と第４の切り替え層２１１を透明状態にすることによりＲ色を得る。そして、第２の切り替え層１１２を着色状態にし、第５の切り替え層２１２を白色状態にすることによりＭ色を得る。そして、第３の切り替え層１１３と第６の切り替え層２１３を透明状態にすることによりＢ色を得る。この結果、第１〜第３の副画素１０１〜１０３からなる画素１０５においては、これらの色が合成され、明度の高いＭ色を表示できる。  
そして、図２（ｌ）に表したように、第１の切り替え層１１１を着色状態にし、第４の切り替え層２１１を透明状態にすることにより黒状態を得る。そして、第２の切り替え層１１２を着色状態とし、第５の切り替え層２１２を白状態にすることによりＭ色を得る。そして、第３の切り替え層１１３を着色状態とし、第６の切り替え層２１３を透明状態にすることにより黒状態を得る。この結果、第１〜第３の副画素１０１〜１０３からなる画素１０５においては、これらの色が合成され、彩度の高いＭ色を表示できる。
【００３３】
同様に、図２（ｍ）に表したように、第１の切り替え層１１１を着色状態にし、第４の切り替え層２１１を白状態にすることによりＣ色を得る。そして、第２の切り替え層１１２と第５の切り替え層２１２を透明状態にすることによりＧ色を得る。そして、第３の切り替え層１１３と第６の切り替え層２１３を透明状態にすることによりＲ色を得る。この結果、第１〜第３の副画素１０１〜１０３からなる画素１０５においては、これらの色が合成され、明度の高いＣ色を表示できる。  
そして、図２（ｎ）に表したように、第１の切り替え層１１１を着色状態にし、第４の切り替え層２１１を白状態にすることによりＣ色を得る。そして、第２の切り替え層１１２を着色状態とし、第５の切り替え層２１２を透明状態にすることにより黒状態を得る。そして、第３の切り替え層１１３を着色状態とし、第６の切り替え層２１３を透明状態にすることにより黒状態を得る。この結果、第１〜第３の副画素１０１〜１０３からなる画素１０５においては、これらの色が合成され、彩度の高いＣ色を表示できる。
【００３４】
このように、本実施形態に係る表示装置１０では、Ｒ、Ｇ、Ｂ、Ｃ、Ｍ及びＹの各色をそれぞれ２つの動作状態によって表示することができる。
【００３５】
図３は、本発明の第１の実施形態に係る表示装置の特性を例示する概念図である。  
すなわち、図３（ａ）〜（ｃ）は、それぞれ、図２（ｃ）に例示した表示状態における、第１の副画素１０１、第２の副画素１０２及び第３の副画素１０３の反射特性を例示している。図３（ｄ）は、図２（ｃ）に例示した表示状態における、第１〜第３の副画素１０１〜１０３からなる画素１０５の合成反射特性を例示している。そして、図３（ｅ）は、図２（ｄ）に例示した表示状態における、第１〜第３の副画素１０１〜１０３からなる画素１０５の合成反射特性を例示している。  
これらの図において、横軸は波長、縦軸は反射率を表している。また、これらの反射特性は理想的なものとして、模式的に表されている。
【００３６】
図３（ａ）に表したように、図２（ｃ）に例示した動作状態において、第１の副画素１０１の反射特性は、第１の着色層３１１の色であるＲ色である。このとき、第１の副画素１０１の面積が１つの画素１０５の１／３であるため、１つの画素でみた時に、第１の副画素１０１の反射特性は、Ｒ色の波長領域での反射率が約３３％で、Ｂ色とＧ色の波長領域の反射率が零の特性となる。  
また、図３（ｂ）に表したように、図２（ｃ）に例示した動作状態において、第２の副画素１０２の反射特性は、第２の切り替え層１１２のＭ色の特性であり、１つの画素でみた時に、Ｂ色とＲ色の波長領域での反射率が約３３％で、Ｇ色の波長領域の反射率が零の反射特性となる。  
また、図３（ｃ）に表したように、図２（ｃ）に例示した動作状態において、第３の副画素１０３の反射特性は、第３の切り替え層１１３のＹ色の特性であり、１つの画素でみた時に、Ｇ色とＲ色の波長領域での反射率が約３３％で、Ｂ色の波長領域の反射率が零の反射特性となる。
【００３７】
このように、図２（ｃ）に例示した動作状態においては、第１〜第３の副画素１０１〜１０３が、それぞれＲ色、Ｍ色及びＹ色であり、いずれの副画素も、Ｒ色の波長領域の光を反射する。  
この結果、図３（ｄ）に表したように、上記の第１〜第３の副画素１０１〜１０３の反射特性を合成した１つの画素１０５の合成反射特性は、Ｒ色の波長領域の反射率が１００％の特性となる。そして、Ｂ色及びＧ色の波長領域では、第２の副画素１０２または第３の副画素１０３が反射特性によって、約３３％の反射率となる。
【００３８】
すなわち、本実施形態に係る表示装置１０の図２（ｃ）に例示した動作状態においては、Ｒ色の波長領域の反射率に関し、１つの画素を構成する３つの副画素の全てが、Ｒ色に着色している場合と同等の反射率となり、明るい表示を実現できる。この場合の表示の明るさは、Ｙ、Ｍ、Ｃの３層の液晶層を積層する３層積層構造の表示装置に近い明るさとなり、表示装置１０は２層構造でありながら３層構造の表示装置に匹敵する明るいＲ色の表示が可能である。
【００３９】
一方、図２（ｄ）の動作状態においては、第１の副画素１０１の反射特性は、第１の着色層３１１の色であるＲ色である。すなわち、第１の副画素１０１の反射特性は、Ｒ色の波長領域での反射率が約３３％で、Ｂ色とＧ色の波長領域の反射率が零の特性となる。そして、第２の副画素１０２は、第２の切り替え層１１２（Ｍ色）と第２の着色層３１２（Ｇ色）とが合成され、黒の表示となる。同様に、第３の副画素１０３は、第３の切り替え層１１３（Ｙ色）と第３の着色層３１３（Ｂ色）とが合成され、黒の表示となる。  
この結果、図３（ｅ）に表したように、図２（ｄ）の動作状態における、第１〜第３の副画素１０１〜１０３からなる画素１０５の合成反射特性は、Ｒ色の波長領域での反射率が約３３％で、Ｂ色とＧ色の波長領域の反射率が零の特性となる。  
すなわち、図３（ｄ）に例示した図２（ｃ）の動作状態における反射特性に比べて、明度は低いものの、Ｒ色の波長領域のみに反射率を有する彩度の高いＲ色を表示できる。
【００４０】
このように、本実施形態に係る表示装置１０によれば、図３（ｄ）に例示した明度の高いＲ色の表示、及び、図３（ｅ）に例示した彩度の高いＲ色の表示が得られる。
【００４１】
同様に、図２（ｅ）〜（ｎ）に例示した、Ｇ色、Ｂ色、Ｙ色、Ｍ色及びＣ色に関しても、それぞれ、明度が高い表示、及び、彩度の高い表示を行うことが可能である。
【００４２】
また、第１〜第３の副画素１０１〜１０３の、第１〜第３の切り替え層１１１〜１１３の着色及び透明の間の中間状態、並びに、第４〜第６の切り替え層２１１〜２１３の白状態と透明状態の間の中間状態を、それぞれ組み合わせることにより、各種の中間色を表示することができる。
【００４３】
（比較例）
図４は、比較例の表示装置の構成を例示する概念的模式断面図である。  
図４に表したように、比較例の表示装置９０は、第１の表示層５１０と、第２の表示層６１０を有する、２層構造の表示装置である。
【００４４】
そして、第１の表示層５１０及び第２の表示層６１０の両方に、ゲストホスト型液晶を用いたものである。すなわち、第１の表示層５１０の第１の切り替え層５１１はＲ色のゲストホスト液晶層であり、第２の切り替え層５１２はＧ色のゲストホスト液晶層であり、第３の切り替え層５１３はＢ色のゲストホスト液晶層である。そして、第２の表示層６１０の第４の切り替え層６１１はＣ色のゲストホスト液晶層であり、第５の切り替え層６１２はＭ色のゲストホスト液晶層であり、第６の切り替え層６１３はＹ色のゲストホスト液晶層である。  
そして、第１の副画素１０１は、第１の切り替え層５１１と第４の切り替え層６１１からなり、第２の副画素１０２は、第２の切り替え層５１２と第５の切り替え層６１２からなり、第３の副画素１０３は、第３の切り替え層５１３と第６の切り替え層６１３ならなる。  
すなわち、第１〜第３の副画素１０１〜１０３の各副画素において、第１の表示層５１０と第２の表示層６１０の各切り替え層同士が、補色の関係となっている。そして、第１〜第６の切り替え層５１１〜５１３、６１１〜６１３のそれぞれは、着色状態と透明状態に切り替えられる。
【００４５】
そして、第２の表示層６１０の裏面（第１の表示層５１０と逆側）の面に、例えば白色拡散性の反射層６６０が設けられている。
【００４６】
この構成により、比較例の表示装置９０は、各種の色を表示することができる。  
すなわち、第１〜第６の切り替え層５１１〜５１３、６１１〜６１３の全てを着色状態にすると、黒状態が得られる。そして、第１〜第６の切り替え層５１１〜５１３、６１１〜６１３の全てを透明状態にすると、裏面の反射層６６０が観視され、理想的には、白状態を表示できると考えられる。  
そして、例えば、第４〜第６の切り替え層６１１〜６１３の全てを透明状態にし、第１〜第３の切り替え層５１１〜５１３を着色させることで、Ｒ、Ｇ及びＢの各色、及び、それらの中間調の色が表示できる。また、第１〜第３の切り替え層５１１〜５１３の全てを透明状態にし、第４〜第６の切り替え層６１１〜６１３を着色させることで、Ｃ、Ｍ及びＹの各色、及び、それらの中間調の色が表示できる。また、第１〜第６の切り替え層５１１〜５１３の着色状態、及び、第４〜第６の切り替え層６１１〜６１３の着色状態の各種の組み合わせにより種々の色を表示できる。
【００４７】
この時、第１〜第６の切り替え層５１１〜５１３、６１１〜６１３に用いられるゲストホスト液晶層のオーダーパラメータを高めることには限界がある。このため、ゲストホスト液晶層の透明状態において、着色状態に比べて色は薄いものの、色残りがある。  
すなわち、第１の表示層５１０の第１〜第３の切り替え層５１１〜５１３は、透明状態であっても色残りがある。また、第２の表示層６１０の第４〜第６の切り替え層６１１〜６１３も、透明状態であっても、色残りがある。  
このため、これら第１の表示層１１０と第２の表示層２１０とが積層された場合、これら色残りが相乗され、着色が濃くなる。このため、第１〜第６の切り替え層５１１〜５１３、６１１〜６１３の全てを透明状態にしたとしても、実際には色残りがあり、これが着色として観視され、明るい白状態の表示はできない。すなわち、暗い表示となってしまう。
【００４８】
なお、上記において、第１〜第３の切り替え層５１１〜５１３をそれぞれ、Ｃ、Ｍ、Ｙの着色と透明の切り替え層とし、第４の〜第６の切り替え層６１１〜６１３をそれぞれ、Ｒ、Ｇ、Ｂの着色と透明の切り替え層とした場合も、２層のゲストホスト液晶を用いているので、上記の色残りの問題が同様に発生する。
【００４９】
これに対し、本実施形態に係る表示装置１０は、比較例と同じ２層構造でありながら、第１の表示層１１０のみにゲストホスト液晶層を用い、第２の表示層２１０には高分子分散型液晶を用いることができる。すなわち、上記の色残りの問題を抱えるゲストホスト液晶層が１層のみなので、色残りの問題を実用的に許容できる範囲内にすることができる。これにより、比較例に比べて明るい白状態の表示が可能となる。そして、表示装置１０は、反射率（高明度の）の白と、高コントラスト（高吸光度）の黒の両方を両立させ、３層積層構造の表示装置と実質的に同様の色再現範囲を可能とする。
【００５０】
このように、本実施形態に係る表示装置１０によれば、低消費電力で、高コントラストの明るい表示を実現する２層構造の反射型の表示装置が提供される。
【００５１】
また、第１の表示層１１０として、ゲストホスト型液晶層を用いる例を挙げたが、これに限らず、第１の表示層１１０は、着色状態と透明状態を切り替えられれば良く、例えば、電気泳動、電子粉流体、エレクトロウェッティング等の、各種の方式の電気光学層を用いることができる。
【００５２】
また、第２の表示層２１０として、高分子分散型液晶層を用いる例を挙げたが、これに限らず、第２の表示層２１０は、反射状態と透明状態を切り替えられれば良い。例えば微粒子を混合した液晶による、電圧無印加時に散乱性で電圧印加時に透光性を示す液晶層を用いても良い。また、微細な複数の電極による印加電圧によって微小空間で異なる方向に配列する液晶を用いた回折格子型の液晶層を用いても良い。また、これら液晶の他に、電気泳動、電子粉流体、エレクトロウェッティング等の、各種の方式の電気光学層を用いることができる。
【００５３】
図５は、本発明の第１の実施形態に係る別の表示装置の構成を例示する概念的断面図である。  
図５に表したように、本発明の第１の実施形態に係る表示装置１１は、図１に例示した表示装置１０に対して、第１〜第３の切り替え層１１１〜１１３及び第１〜第３の着色層３１１〜３１３の色が異なっている。すなわち、第１の切り替え層１１１がＲ色と透明を切り替え、第２の切り替え層１１２がＧ色と透明と切り替え、第３の切り替え層１１３がＢ色と透明を切り替える。そして、第１の着色層３１１がＣ色であり、第２の着色層３１２がＭ色であり、第３の着色層３１３がＹ色である。この他は、表示装置１０と同様とすることができるので説明を省略する。
【００５４】
表示装置１１においても、第１〜第３の切り替え層１１１〜１１３の全てを透明にし、かつ、第４〜第６の切り替え層２１１〜２１３を白状態にすることで、明るい白を表示することができる。また、第１〜第３の切り替え層１１１〜１１３をそれぞれ、Ｒ、Ｇ及びＢの着色状態にし、かつ、第２の表示層２１０の第４〜第６の切り替え層２１１〜２１３を透明状態にすることで、濃い黒が表現でき、高コントラスの表示が可能である。  
また、第１〜第３の切り替え層１１１〜１１３の状態と第４〜第６の切り替え層２１１〜２１３の状態によって各種の色を表示することができる。この時の色は、表示装置１０について既に説明したように、同じ色に関して明度の高い色及び彩度の高い色を表示することができる。そして、この場合の明度の高い色は、３層構造の表示装置の明度に匹敵す明るさである。
【００５５】
このように、本実施形態に係る別の表示装置１１によっても、低消費電力で、高コントラストの明るい表示を実現する２層構造の反射型の表示装置が提供される。
【００５６】
このように、第１〜第３の切り替え層１１１〜１１３のそれぞれの着色状態の色は、これらを混色した時に無彩色となれば良い。なお、既に説明したように第１〜第３の着色層３１１〜３１３の色は、それぞれ、第１〜第３の切り替え層１１１〜１１３の着色状態の色に対して補色の関係なので、第１〜第３の切り替え層１１１〜１１３の色を変えた場合は、第１〜第３の着色層３１１〜３１３の色はそれに連動して変更すれば良い。
【００５７】
（第２の実施の形態）
図６は、本発明の第２の実施形態に係る表示装置の構成を例示する概念的断面図である。  
図６に表したように、本発明の第２の実施形態に係る表示装置２０は、図１に例示した表示装置１０に対して、第２の表示層２１０の第４〜第６の切り替え層２１１〜２１３が、１つの切り替え層である第７の切り替え層２１４となっている例である。それ以外は表示装置１０と同様とすることができるので説明を省略する。
【００５８】
表示装置２０においても、第１〜第３の切り替え層１１１〜１１３の全てを透明にし、かつ、第７の切り替え層２１４を白状態にすることで、明るい白を表示することができる。また、第１〜第３の切り替え層１１１〜１１３を、それぞれ、Ｃ、Ｍ及びＹの着色状態にし、かつ、第７の切り替え層２１４を透明状態にすることで、濃い黒が表現でき、高コントラスの表示が可能である。  
なお、既に説明したように、表示装置１０においては、第４〜第６の切り替え層２１１〜２１３が互いに独立して切り替え可能とされていたため、第１〜第３の副画素１０１〜１０３のそれぞれを、独立して白または黒にすることができ、高解像度の白黒表示が可能であった。これに対し、表示装置２０では、第２の表示層２１０が１つの切り替え層である第７の切り切り替え層２１４で構成されるため、白または黒の表示は、第１〜第３の副画素１０１〜１０３で構成される画素１０５ごとに行うことになる。このため、表示装置２０は、表示装置１０に比べて、白黒表示時における解像度は低くなる。しかしながら、表示装置１０では、第４〜第６の切り替え層２１１〜２１３を駆動するための電極やスイッチング素子が、１つの画素１０５について３組必要であったのに対して、表示装置２０では、１つの画素に対して１組あれば良いので、表示装置２０は、製造が容易となる利点がある。
【００５９】
本実施形態に係る表示装置２０は、２層構造でありながら、３層構造の表示装置に匹敵する白の明るさと黒の濃さを実現できる。
【００６０】
このように、本実施形態に係る別の表示装置２０によっても、低消費電力で、高コントラストの明るい表示を実現する２層構造の反射型の表示装置が提供される。
【００６１】
図７は、本発明の第２の実施形態に係る別の表示装置の構成を例示する概念的断面図である。  
図７に表したように、本発明の第２の実施形態に係る表示装置２１は、図６に例示した表示装置２０に対して、第１〜第３の切り替え層１１１〜１１３及び第１〜第３の着色層３１１〜３１３の色が異なっている。すなわち、第１の切り替え層１１１がＲ色と透明を切り替え、第２の切り替え層１１２がＧ色と透明と切り替え、第３の切り替え層１１３がＢ色と透明を切り替える。そして、第１の着色層３１１がＣ色であり、第２の着色層３１２がＭ色であり、第３の着色層３１３がＹ色である。この他は、表示装置２０と同様とすることができるので説明を省略する。
【００６２】
表示装置２１においても、第１〜第３の切り替え層１１１〜１１３の全てを透明にし、かつ、第７の切り替え層２１４を白状態にすることで、明るい白を表示することができる。また、第１〜第３の切り替え層１１１〜１１３をそれぞれ、Ｒ、Ｇ及びＢの着色状態にし、かつ、第７の切り替え層２１４を透明状態にすることで、濃い黒が表現でき、高コントラスの表示が可能である。表示装置２１においても、２層構造でありながら、３層構造の表示装置に匹敵する白の明るさと黒の濃さを実現できる。  
また、第１〜第３の切り替え層１１１〜１１３の状態と第７の切り替え層２１４の状態によって各種の色を表示することができる。
【００６３】
このように、本実施形態に係る別の表示装置２１によっても、低消費電力で、高コントラストの明るい表示を実現する２層構造の反射型の表示装置が提供される。
【００６４】
（第３の実施の形態）
図８は、本発明の第３の実施形態に係る表示装置の構成を例示する模式的斜視図である。  
図８に表したように、本実施形態に係る表示装置３０においては、上記の第１〜第３の副画素１０１〜１０３で１つの画素１０５が形成され、この画素１０５がマトリクス状に複数併置されている。これにより、任意の文字や図形を表示可能とするマトリクス型の表示装置が得られる。  
なお、画素１０５における第１〜第３の副画素１０１〜１０３の配列順序が、他の画素１０５においても維持されて、第１〜第３の副画素１０１〜１０３が配置される。すなわち、図８に例示したように、画素１０５のそれぞれにおいて、第１の副画素１０１の隣に第２の副画素１０２が並置され、第２の副画素１０２の第１の副画素１０１と反対側の隣に第３の副画素１０３が並置されている。そして、特定の画素１０５の第３の副画素１０３の隣に、その特定の画素の第３の副画素１０３側の隣に並置される隣接する画素１０６の第１の副画素１０１が、並置されている。
【００６５】
なお、図８に例示した表示装置３０では、第２の表示層２１０が、互いに独立して切り替え可能な第４〜第６の切り替え層２１１〜２１３を有しているが、既に説明したように、第２の表示層２１０は、画素１０５ごとに反射状態と透明状態とを切り替え可能とされる第７の切り替え層としても良い。
【００６６】
図９は、本発明の第３の実施形態に係る表示装置の構成を例示する模式的断面図である。  
すなわち、図９は、本発明の第３の実施形態に係る表示装置３０の要部を例示している。  
図９に表したように、表示装置３０においては、第１の基板１１７の上面（同図の紙面では下側の面）に、第１の画素電極１３１とそれに接続された第１のスイッチング素子１２１と、第２の画素電極１３２とそれに接続された第２のスイッチング素子１２２と、第３の画素電極１３３とそれに接続された第３のスイッチング素子１２３が設けられている。  
第１の基板１１７には、透光性のある例えばガラス基板を用いることができる。ただし、これには限らず透光性のある樹脂材料等を用いても良い。
【００６７】
第１〜第３の画素電極１３１〜１３３には、ＩＴＯ（Indium Tin Oxide）等の透明電極を用いることができる。また、第１〜第３のスイッチング素子１２１〜１２３には、例えば、活性層としてアモルファスシリコンやポリシリコン、微結晶シリコン等を用いた薄膜トランジスタを用いることができる。
【００６８】
第１の基板１１７の第１〜第３の画素電極１３１〜１３３側には、中間材４１０が設けられている。中間材４１０には、例えば透光性のあるガラス基板を用いることができるが、透光性のある樹脂材料を用いても良い。また、後述するように絶縁性のある薄膜を用いても良い。
【００６９】
中間材４１０の第１の基板１１７に対向する側には、第１の対向電極４１１が設けられている。第１の対向電極４１１には、透光性のある例えばＩＴＯを用いることができる。
【００７０】
第１の基板１１７の第１〜第３の画素電極１３１〜１３３と第１の対向電極４１１との間のそれぞれに、第１〜第３の切り替え層１１１〜１１３が設けられている。第１〜第３の切り替え層１１１〜１１３には、既に説明したように、例えば、Ｃ、Ｍ、Ｙの３色の組み合わせのゲストホスト型液晶層を用いることができる。図９に例示した表示装置３０においては、第１〜第３の切り替え層１１１〜１１３の互いの間には、それぞれを隔離する隔壁１４０が設けられ、隔壁１４０によって隔離された第１〜第３の画素電極１３１〜１３３に対応した位置に、各色のゲストホスト液晶層が設けられている。
【００７１】
これにより、第１〜第３のスイッチング素子１２１〜１２３を介して第１〜第３の画素電極１３１〜１３３に与えられる電位と、第１の対向電極４１１との間の電位差（電圧）によって、第１〜第３の切り替え層１１１〜１１３のゲストホスト液晶層に電圧が印加され、第１〜第３の切り替え層１１１〜１１３はそれぞれ独立して、着色状態と透光状態を切り替えることができる。
【００７２】
なお、第１〜第３の切り替え層１１１〜１１３における、ゲストホスト液晶層の誘電異方性及び、電圧無印加時の液晶分子配列の組み合わせは任意であり、各色の着色状態と透光状態とが切り替えられれば良い。
【００７３】
一方、中間材４１０の第１の対向電極４１１と反対の面には、第２の対向電極４１２が設けられている。第２の対向電極４１２にも透光性のあるＩＴＯを用いることができる。
【００７４】
そして、第２の対向電極４１２に対向して第２の基板２１７が設けられている。第２の基板２１７としては、透光性のある例えばガラス基板を用いることができる。ただし、これには限らず透光性のある樹脂材料等を用いても良い。さらに、後述するように、第２の基板２１７には透光性のない基板を用いることもできる。
【００７５】
第２の基板２１７の第２の対向電極４１２側には、第４の画素電極２３１とそれに接続された第４のスイッチング素子２２１と、第５の画素電極２３２とそれに接続された第５のスイッチング素子２２２と、第６の画素電極２３３とそれに接続された第６のスイッチング素子２２３が設けられている。
【００７６】
第４〜第６の画素電極２３１〜２３３には、ＩＴＯ等の透明電極を用いることができる。また、第４〜第６のスイッチング素子２２１〜２２３には、例えば、活性層としてアモルファスシリコンやポリシリコン、微結晶シリコン等を用いた薄膜トランジスタを用いることができる。第４〜第６の画素電極２３１〜２３３は、それぞれ、第１〜第３の画素電極１３１〜１３３の面内位置と対応した位置に設けることができる。
【００７７】
すなわち、表示装置３０は、第１の基板１１７と、第１の基板１１７に対向して設けられた第２の基板２１７と、をさらに備える。そして、第１〜第３のスイッチング素子１２１〜１２３及び第１〜第３の画素電極１３１〜１３３は、第１の基板１１７の第２の基板２１７に対向する面に設けられている。そして、第４〜第６のスイッチング素子２２１〜２２３及び第４〜第６の画素電極２３１〜２３３は、第２の基板２１７の第１の基板１１７に対向する面に設けられている。
【００７８】
第４〜第６の画素電極２３１〜２３３と第２の対向電極４１２のそれぞれの間には、例えば高分子分散液晶層が設けられる。ただし、本発明はこれに限らず既に説明したように、反射状態と透光状態とを切り替える各種の電気光学層を用いることができる。
【００７９】
これにより、第４〜第６のスイッチング素子２２１〜２２３を介して第４〜第６の画素電極２３１〜２３３に与えられる電位と、第２の対向電極４１２との間の電位差（電圧）によって、第４〜第６の切り替え層２１１〜２１３の高分子分散液晶層に電圧が印加され、第４〜第６の切り替え層２１１〜２１３はそれぞれ独立して、反射状態と透光状態を切り替えることができる。また、第４〜第６の切り替え層２１１〜２１３は、第１〜第３の切り替え層と独立してそれぞれ切り替えることが可能である。
【００８０】
そして、第２の基板２１７の第２の対向電極４１２と反対側の面には、第１〜第３の着色層３１１〜３１３が、第１〜第３の切り替え層１１１〜１１３のそれぞれの位置に対応する位置に設けられている。
【００８１】
既に説明したように、第１〜第３の着色層３１１〜３１３は、それぞれ、第１〜第３の切り替え層１１１〜１１３の着直状態の色に対して補色の色を有しており、この場合は、第１〜第３の着色層３１１〜３１３は、それぞれ、Ｒ、Ｇ、Ｂの色である。第１〜第３の着色層３１１〜３１３は、例えば、染料や顔料を含む樹脂をオフセット印刷やインクジェット印刷等の印刷法や、転写法、フォトリソグラフィー法等の各種の方法によって設けることができる。  
なお、本発明はこれに限らず、第１〜第３の着色層３１１〜３１３は着色していれば、用いる材料や形成方法は任意である。また、後述するように、第１〜第３の着色層３１１〜３１３は、第２の基板２１７と第４〜第６の切り替え層２１１〜２１３の間に設けても良い。
【００８２】
そして、既に説明したように、第１の切り替え層１１１、第４の切り替え層２１１及び第１の着色層３１１が積層されてなる部分が、第１の副画素１０１となる。また、第２の切り替え層１１２、第５の切り替え層２１２及び第２の着色層３１２が積層されてなる部分が、第２の副画素１０２となる。そして、第３の切り替え層１１３、第６の切り替え層２１３及び第３の着色層３１３が積層されてなる部分が、第３の副画素１０３となる。そして、第１の副画素１０１、第２の副画素１０２及び第３の副画素１０３によって、１つの画素１０５が形成される。
【００８３】
そして、既に図８で説明したように、表示装置３０においては、上記の画素１０５が、規則的にマトリクス状に複数併設される。既に説明したように、１つの画素１０５は、白、黒、及び各色の表示が可能であり、これを平面的に並べることによって、表示装置３０は、任意の色で任意のパターンの表示を行うことができる。
【００８４】
このように、本実施形態に係る表示装置３０によって、低消費電力で、高コントラストで明るい、任意のパターンの表示を実現する２層構造の反射型の表示装置が提供される。
【００８５】
なお、図９に例示した表示装置３０においては、画素１０５が設けられた画素部の周辺領域において、第１の基板１１７と中間材４１０とを接着する第１のシール部１１９、及び、第２の基板２１７と中間材４１０とを接着する第２のシール部２１９が設けられているが、これらのシール部は必要に応じて設ければ良く、省略しても良い。
【００８６】
図１０は、本発明の第３の実施形態に係る別の表示装置の構成を例示する模式的断面図である。  
図１０に表したように、本発明の第３の実施形態係る別の表示装置３１においては、図９に例示した表示装置３０に対し、第１〜第３の着色層３１１〜３１３の第２の表示層２１０と反対側の面に、反射層２４０が設けられている。これ以外は、表示装置３０と同様とすることができるので説明を省略する。
【００８７】
既に説明したように、第１〜第３の着色層３１１〜３１３は反射性、特に、拡散反射性を有することが望ましい。図１０に例示したように、第１〜第３の着色層３１１〜３１３とは別に、反射層２４０を設けることにより、第１〜第３の着色層３１１〜３１３を着色性能を重視して最適化し、反射特性は反射層２４０で得ることができる。この反射層２４０には、高性能の拡散反射性を持たせることができる。反射層２４０には、各種の拡散性を有する塗料やシート、フィルム等を用いることができる。
【００８８】
このように、本実施形態に係る表示装置３１においては、反射層２４０を設けることによって、低消費電力で、高コントラストで明るい、任意のパターンの表示を実現する２層構造の反射型の表示装置が提供される。
【００８９】
図１１は、本発明の第３の実施形態に係る別の表示装置の構成を例示する模式的断面図である。  
図１１に表したように、表示装置３２においては、図９に例示した表示装置３０に対し、第１〜第３の切り替え層１１１〜１１３として、二色性染料を含有する液晶と高分子を混在されたゲストホスト高分子分散型液晶層を用い、そして、図９に例示した隔壁１４０を省略したものである。これ以外は、表示装置３０と同等とすることができるので説明を省略する。
【００９０】
すなわち、第１の切り替え層１１１には、Ｃ色の二色性染料を含有する液晶と高分子とが混在されたゲストホスト高分子分散型液晶層を用い、第２の切り替え層１１２には、Ｍ色の二色性染料を含有する液晶と高分子とが混在されたゲストホスト高分子分散型液晶層を用い、第３の切り替え層１１３には、Ｙ色の二色性染料を含有する液晶と高分子とが混在されたゲストホスト高分子分散型液晶層を用いる。これにより、それぞれの切り替え層に印加される電圧に従って、独立してそれぞれの色の着色状態と透光状態とを切り替えることができる。
【００９１】
そして、二色性染料を含有するゲストホスト液晶を高分子と混在させることにより、隔壁を設けなくても各色のゲストホスト型高分子分子分散液晶が混じり合うことがない。これにより、隔壁を設ける工程が省略できる。
【００９２】
さらに、第１〜第３の切り替え層１１１〜１１３に機械的な剛性を持たせることができ、中間材４１０の厚さを薄くできる。これにより、例えば、第１の基板１１７の第１〜第３の画素電極１３１〜１３３の上に、それぞれに対応する色のゲストホスト型高分子分散液晶を印刷した後、高分子を架橋させ、この上に第１の対向電極４１１となる透明導電膜を形成し、この上に中間材４１０となる絶縁層を形成し、この上に、第２の対向電極４１２となる透明導電膜を形成することができる。この後、この第１の基板１１７と第２の基板２１７とを組み合わせて表示装置を形成することができる。このようにして中間材４１０を形成した場合は、中間材４１０の厚さを薄くでき、第１〜第３の切り替え層１１１〜１１３、第４〜第６の切り替え層２１１〜２１３、第１〜第３の着色層３１１〜３１３との間の互いの距離が離れた時に発生するパララックスを抑制でき、高表示品位の表示を得ることができる。
【００９３】
このように、本実施形態に係る別の表示装置３１によって、低消費電力で、高コントラストで明るい高表示品位の、任意のパターンの表示を実現する２層構造の反射型の表示装置が提供される。  
なお、上記において、中間材４１０を設けず、第１の対向電極４１１と第２の対向電極４１２とが共通の１つの対向電極となっていても良い。この場合、構成が簡単になる利点がある。
【００９４】
図１２は、本発明の第３の実施形態に係る別の表示装置の構成を例示する模式的断面図である。  
図１２に表したように、表示装置３３においては、図１１に例示した表示装置３２に対し、第１〜第３の着色層３１１〜３１３が、第２の基板２１７と、第４〜第６の切り替え層２１１〜２１３との間に設けられている。すなわち、第２の基板２１７の第２の対向電極４１２に対向する側の面に、第１〜第３の着色層３１１〜３１３が設けられ、この上に第４〜第６の画素電極２３１〜２３３が設けられている。なお、第４〜第６の画素電極２３１〜２３３は、第１〜第３の着色層３１１〜３１３に設けられた適当なスルーホールを介して、第４〜第６のスイッチング素子２２１〜２２３のドレインまたはソースと接続することができる。これ以外は、表示装置３０と同等とすることができるので説明を省略する。
【００９５】
すなわち、表示装置３３は、第１の基板１１７と、第１の基板１１７に対向して設けられた第２の基板２１７と、をさらに備える。そして、第１〜第３のスイッチング素子１２１〜１２３及び第１〜第３の画素電極１３１〜１３３は、第１の基板１１７の第２の基板２１７に対向する面に設けられている。そして、第１〜第３の着色層３１１〜３１３は、第２の基板２１７の第１の基板１１７に対向する面に設けられている。そして、第１〜第３の着色層３１１〜３１３の第１の基板１１７に対向する側に、それぞれ第４〜第６の画素電極２３１〜２３３が設けられている。
【００９６】
このように、第１〜第３の着色層３１１〜３１３を第２の基板２１７の第２の対向電極４１２に対向する側に設けることで、第１〜第３の切り替え層１１１や第４〜第６の切り替え層２１１〜２１３に、第１〜第３の着色層３１１〜３１３を接近させることが可能となり、パララックスをさらに抑制でき、高表示品位の表示を得ることができる。
【００９７】
このように、本実施形態に係る別の表示装置３３によって、低消費電力で、高コントラストで明るい高表示品位の、任意のパターンの表示を実現する２層構造の反射型の表示装置が提供される。
【００９８】
なお、上記においては、第４〜第６の画素電極２３１〜２３３は、それぞれ第１〜第３の着色層３１１〜３１３の上に設けられているが、これにより、第４〜第６の画素電極２３１〜２３３のそれぞれと第２の対向電極４１２との間の電圧を、効率的に第４〜第６の切り替え層２１１〜２１３に印加できる。ただし、第１〜第３の着色層３１１〜３１３と第４〜第６の切り替え層２１１〜２１３との容量カップリングによる損失が実用的に無視でき、第４〜第６の切り替え層２１１〜２１３に十分な電圧を印加できれば、第４〜第６の画素電極２３１〜２３３と第１〜第３の着色層３１１〜３１３の配置の上下を逆にしても良く、この場合もパララックスは実用的に十分抑制できる。
【００９９】
図１３は、本発明の第３の実施形態に係る別の表示装置の構成を例示する模式的断面図である。  
図１３に表したように、表示装置３４においては、図１２に例示した表示装置３３に対し、第１〜第３の着色層３１１〜３１３と第２の基板２１７との間に反射層２４１を設けたものである。これ以外は、表示装置３０と同等とすることができるので説明を省略する。
【０１００】
既に説明したように、第１〜第３の着色層３１１〜３１３は反射性、特に、拡散反射性を有することが望ましい。図１３に例示したように、第１〜第３の着色層３１１〜３１３とは別に、第１〜第３の着色層３１１〜３１３と第２の基板２１７との間に反射層２４１を設けることにより、第１〜第３の着色層３１１〜３１３を着色性能を重視して最適化し、反射特性は反射層２４１で得ることができる。これにより、入射光を有効に反射し、パララックスのない、明るい高品位の表示が得られる。反射層２４１としては、例えばアルミニウム等の金属の表面に微細な凹凸を付けたもの等を用いることができる。ただし、本発明はこれには限らず、反射特性が得られれば使用する材料、構造、形成方法は任意である。
【０１０１】
このように、第１〜第３の着色層３１１〜３１３と第２の基板２１７との間に反射層２４１を設けることで、第１〜第３の切り替え層１１１〜１１３や第４〜第６の切り替え層２１１〜２１３に第１〜第３の着色層３１１〜３１３を接近させることが可能となり、パララックスをさらに抑制でき、高表示品位の表示を得ることができる。
【０１０２】
このように、本実施形態に係る別の表示装置３４によって、低消費電力で、高コントラストで明るい高表示品位の、任意のパターンの表示を実現する２層構造の反射型の表示装置が提供される。
【０１０３】
図１４は、本発明の第３の実施形態に係る別の表示装置の構成を例示する模式的断面図である。  
図１４に表したように、表示装置３５においては、図９に例示した表示装置３０に対し、第２の表示層２１０として、第７の切り替え層２１４を用いたものである。すなわち、１つの画素１０５に対して１つの切り替え層となる第７の切り替え層２１４を用いる。これ以外は、表示装置３０と同等とすることができるので説明を省略する。
【０１０４】
第７の切り替え層２１４は、第７のスイッチング素子２２４に接続された第７の画素電極２３４と、第２の対向電極４１２との間に設けられ、第１〜第３の切り替え層１１１〜１１３と独立して、反射状態と透光状態とを切り替える。
【０１０５】
これにより、表示装置３０と同等の明るい白と濃い黒の他、各色を表示できる。そして、表示装置３５では、１つの画素１０５に１つの画素電極と１つのスイッチング素子を設けるだけで良いので、表示装置３０に比べて製造が容易となる利点がある。
【０１０６】
本実施形態に係る別の表示装置３５によっても、低消費電力で、高コントラストで明るい高表示品位の、任意のパターンの表示を実現し、製造が容易な２層構造の反射型の表示装置が提供される。
【０１０７】
（第４の実施の形態）
図１５は、本発明の第４の実施形態に係る表示装置の構成を例示する概念的断面図である。  
図１５に表したように、本発明の第４の実施形態に係る表示装置４０は、図１に例示した表示装置１０に対して、第１〜第３の着色層３１１〜３１３と、第２の表示層２１０との間に設けられた光束制御層７１０をさらに備えている。
【０１０８】
光束制御層７１０としては、例えばプリズムアレイシートを用いることができる。プリズムアレイシートは、例えばアクリル樹脂やＰＥＴ（Polyethylene Terephthalate）などの透光性のある樹脂を用いることができる。そして、プリズムアレイシートの第１主面７１１には、第１主面７１１の法線を含む断面が三角状の凹凸が所定のピッチで複数設けられている。そして、第１主面７１１と対向する第２主面７１２には、平滑面が設けられている。このプリズムアレイシートは、第１主面７１１から入射した光を、第２の主面７１２で全反射させ、第１主面７１１に設けられた三角状の凹凸の形状に対応した一定の出射角範囲で光束の角度を制御して反射する機能がある。  
図１５に例示した表示装置４０では、光束制御層７１０として、このようなプリズムアレイシートを、第１の主面７１１を第２の表示層２１０側に向けて、第２の表示層２１０と第１〜第３の着色層３１１〜３１３の間に設けたものである。
【０１０９】
第２の表示層２１０においては、外部からの入射光を散乱させることで、反射状態として、白を呈示する。この時、第２の表示層２１０に、例えば高分子分散液晶層を用いた場合、第２の表示層２１０の反射状態である散乱状態では、入射光に対して前方散乱が大きく後方散乱が小さいために、反射率を得られない場合がある。
【０１１０】
この時、第２の表示層２１０と第１〜第３の着色層３１１〜３１３との間に、プリズムアレイシートを設けることによって、反射率を得ることができる。  
例えば、第２の表示層２１０が散乱状態の時、理想的には、第２の表示層２１０に入射する光を後方散乱によって、第１〜第３の切り替え層１１１〜１１３に効率良く反射し、明るい白が得られるが、この時、第２の表示層２１０の前方散乱光によって一部の光は第１〜第３の着色層３１１〜３１３側に透過してしまう。この時、本実施形態に係る表示装置４０においては、第２の表示層２１０と第１〜第３の着色層３１１〜３１３との間に設けられたプリズムアレイシートの平滑面での全反射によって、再び第２の表示層２１０に入射させることができる。そして、この再入射した光は、第２の表示層２１０の前方散乱によって第１〜第３の切り替え層１１１〜１１３側に向かって効率良く散乱される。これによって、表示装置４０においては、白の反射率を高めることができる。
【０１１１】
なお、光束制御層７１０としては、第１主面７１１において、所定の方向における断面が三角形である凹凸（溝）を有する１次元のプリズムアレイシートを１枚用いることができる他、所定の方向における断面が三角形である凹凸（溝）を有する１次元のプリズムアレイシートを２枚重ね、その凹凸の延在方向を異なる方向（例えば直交）に配置する構成も用いることができる。さらに、例えば、２つの異なる方向における断面が三角形である、三角錐形状や円錐形状の凹凸を２次元に配列したプリズムアレイシートを用いることもできる。
【０１１２】
なお、隣接する副画素同士の干渉による混色を防止するために、プリズムアレイシートの凹凸のピッチは、１つの副画素のピッチ以下、すなわち、第１の切り替え層１１１の配列ピッチの１／３以下に設定することができる。ただし、プリズムアレイシートとして、１次元のプリズムアレイシートを用いた場合は、この限りではなく、プリズムの頂点が連続する方向と、副画素の連続方向とを直交させることによって、プリズムアレイシートのピッチに対する制限は緩和され、プリズムアレイシートの凹凸のピッチは、１つの副画素のピッチより大きくても良い。この場合は、凹凸のピッチは、１つの画素（副画素の３倍）のピッチ以下、すなわち、第１の切り替え層１１１の配列ピッチ以下とすることができる。  
なお、上記の第１主面７１１と第２主面７１２とを逆にして設置しても良い。特に、頂角が９０度以外のプリズムにおいては、第１主面７１１と第２主面７１２とを逆にして配置することができる。
【０１１３】
図１６は、本発明の第４の実施形態に係る別の表示装置の構成を例示する模式的断面図である。  
図１６に表したように、表示装置４１においては、図９に例示した表示装置３０において、第２の表示層２１０と第１〜第３の着色層３１１〜３１３との間に、光束制御層７１０が設けられている。これ以外は、表示装置３０と同等とすることができるので説明を省略する。  
すなわち、既に説明したプリズムアレイシートが、第２の基板２１７の第１〜第３の着色層３１１〜３１３側の面に設けられている。この時、第１〜第３の着色層３１１〜３１３は、図示しない別の基体に設けても良く、また、プリズムアレイシートの第２主面７１２（平滑面）に設けても良い。
【０１１４】
このように、表示装置４１においては、光束制御層７１０を設けたことから、光の利用効率が向上し、さらに明るい表示が可能となる。
【０１１５】
本実施形態に係る別の表示装置４１によって、低消費電力で、高コントラストでさらに明るく高表示品位の、任意のパターンの表示を実現する２層構造の反射型の表示装置が提供される。
【０１１６】
図１７は、本発明の第４の実施形態に係る別の表示装置の構成を例示する模式的断面図である。  
図１７に表したように、表示装置４２においては、図１３に例示した表示装置３４において、第２の表示層２１０と第１〜第３の着色層３１１〜３１３との間に、光束制御層７１０が設けられている。これ以外は、表示装置３４と同等とすることができるので説明を省略する。  
すなわち、第２の基板２１７の上に設けられた第１〜第３の着色層３１１〜３１３の上にそれぞれ第１〜第３の光束制御層７２１〜７２３が設けられ、その上に、第４〜第６の画素電極２３１〜２３３がそれぞれ設けられている。  
第１〜第３の光束制御層７２１〜７２３には、例えば、透光性のある二酸化珪素を用い、例えば、フォトリソグラフィーとエッチングの条件を制御し、断面形状が層面に対し傾斜しているテーパ形状を形成することによって設けることができる。ただし、本発明はこれに限らず、第１〜第３の着色層３１１〜３１３の上に光束を制御できる形状の光学層を形成できれば、用いる材料、構造、形成方法は任意である。
【０１１７】
このように、表示装置４２は、光束制御層７１０を第２の基板２１７と第２の対向電極４１２との間に設けることができ、これにより、第１〜第３の着色層３１１〜３１３を、第１〜第３の切り替え層及び第４〜第６の切り替え層２１１〜２１３に接近させることができ、パララックスを抑制しつつ、光利用効率が向上した表示を得ることができる。
【０１１８】
本実施形態に係る別の表示装置４２によって、低消費電力で、高コントラストでさらに明るく、パララックスが抑制された高表示品位の、任意のパターンの表示を実現する２層構造の反射型の表示装置が提供される。
【０１１９】
なお、上記の実施形態に係る表示装置において、第１〜第３の切り替え層１１１〜１１３のそれぞれの間、第４〜第６の切り替え層２１１〜２１３のそれぞれの間、及び、第１〜第３の着色層３１１〜３１３のそれぞれの間、の少なくともいずれかに、遮光性を有するブラックマトリクス、または、反射性を有するホワイトマトリクスを設けても良い。これにより、さらに高コントラストで明るい表示が得られる。
【０１２０】
以上、具体例を参照しつつ、本発明の実施の形態について説明した。しかし、本発明は、これらの具体例に限定されるものではない。例えば、表示装置を構成する各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１２１】
その他、本発明の実施の形態として上述した表示装置を基にして、当業者が適宜設計変更して実施し得る全ての表示装置も、本発明の要旨を包含する限り、本発明の範囲に属する。
【０１２２】
その他、本発明の思想の範疇において、当業者であれば、各種の変更例及び修正例に想到し得るものであり、それら変更例及び修正例についても本発明の範囲に属するものと了解される。
【図面の簡単な説明】
【０１２３】
【図１】本発明の第１の実施形態に係る表示装置の構成を例示する概念的断面図である。
【図２】本発明の第１の実施形態に係る表示装置の動作状態を例示する概念的断面図である。
【図３】本発明の第１の実施形態に係る表示装置の特性を例示する概念図である。
【図４】比較例の表示装置の構成を例示する概念的模式断面図である。
【図５】本発明の第１の実施形態に係る別の表示装置の構成を例示する概念的断面図である。
【図６】本発明の第２の実施形態に係る表示装置の構成を例示する概念的断面図である。
【図７】本発明の第２の実施形態に係る別の表示装置の構成を例示する概念的断面図である。
【図８】本発明の第３の実施形態に係る表示装置の構成を例示する模式的斜視図である。
【図９】本発明の第３の実施形態に係る表示装置の構成を例示する模式的断面図である。
【図１０】本発明の第３の実施形態に係る別の表示装置の構成を例示する模式的断面図である。
【図１１】本発明の第３の実施形態に係る別の表示装置の構成を例示する模式的断面図である。
【図１２】本発明の第３の実施形態に係る別の表示装置の構成を例示する模式的断面図である。
【図１３】本発明の第３の実施形態に係る別の表示装置の構成を例示する模式的断面図である。
【図１４】本発明の第３の実施形態に係る別の表示装置の構成を例示する模式的断面図である。
【図１５】本発明の第４の実施形態に係る表示装置の構成を例示する概念的断面図である。
【図１６】本発明の第４の実施形態に係る別の表示装置の構成を例示する模式的断面図である。
【図１７】本発明の第４の実施形態に係る別の表示装置の構成を例示する模式的断面図である。
【符号の説明】
【０１２４】
１０、１１、２０、２１、３０〜３５、４０〜４２、９０  表示装置
１０１  第１の副画素
１０２  第２の副画素
１０３  第３の副画素
１０５  画素
１１０  第１の表示層
１１１、５１１  第１の切り替え層
１１２、５１２  第２の切り替え層
１１３、５１３  第３の切り替え層
１１７  第１の基板
１１９  第１のシール部
１２１  第１のスイッチング素子
１２２  第２のスイッチング素子
１２３  第３のスイッチング素子
１３１  第１の画素電極
１３２  第２の画素電極
１３３  第３の画素電極
１４０  隔壁
２１０  第２の表示層（中間層）
２１１、６１１  第４の切り替え層
２１２、６１２  第５の切り替え層
２１３、６１３  第６の切り替え層
２１４  第７の切り替え層
２１７  第２の基板
２１９  第２のシール部
２２１  第４のスイッチング素子
２２２  第５のスイッチング素子
２２３  第６のスイッチング素子
２２４  第７のスイッチング素子
２３１  第４の画素電極
２３２  第５の画素電極
２３３  第６の画素電極
２３４  第７の画素電極
２４０、２４１  反射層
３１０  着色層
３１１  第１の着色層
３１２  第２の着色層
３１３  第３の着色層
４１０  中間材
４１１  第１の対向電極
４１２  第２の対向電極
６６０  反射層
７１０  光束制御層
７１１  第１主面
７１２  第２主面
７２１  第１の光束制御層
７２２  第２の光束制御層
７２３  第３の光束制御層
【図１】
0005127523.tif 000002
【図２】
0005127523.tif 000003
【図３】
0005127523.tif 000004
【図４】
0005127523.tif 000005
【図５】
0005127523.tif 000006
【図６】
0005127523.tif 000007
【図７】
0005127523.tif 000008
【図８】
0005127523.tif 000009
【図９】
0005127523.tif 000010
【図１０】
0005127523.tif 000011
【図１１】
0005127523.tif 000012
【図１２】
0005127523.tif 000013
【図１３】
0005127523.tif 000014
【図１４】
0005127523.tif 000015
【図１５】
0005127523.tif 000016
【図１６】
0005127523.tif 000017
【図１７】
0005127523.tif 000018